(57)【特許請求の範囲】
【請求項１】
ほぼ一定高さの複数の支持体を連接してベースを構成するとともに、該ベース上に床面を構成するパネルを載置して、前記ベースと前記パネルとの間を配線用空間とした二重床において、
前記パネルは方形に形成されており、前記ベースは、合成樹脂により方形に形成されるとともに、該ベースの中心に立設された支持体５Ａと、ベースの四隅に立設された支持体５Ｄと、該四隅に立設された支持体５Ｄ、５Ｄ間におけるベースの側辺部に立設された支持体５Ｆと、を有し、これら支持体５Ａ、５Ｄ、５Ｆにより４枚のパネルそれぞれの少なくとも四隅が支持されるようになっており、前記複数の支持体５Ａ、５Ｄ、５Ｆの基部６同士は、連結リブ７を介してそれぞれ連結され、前記支持体５Ａ、５Ｄ、５Ｆの基部６及び前記連結リブ７は、載置床面の不陸に対応して接地される程度の可撓性を有し、前記支持体５Ａ、５Ｄ、５Ｆの基部６もしくは連結リブ７の裏面には、ベースを載置床面に設置した時に該載置床面との間に空所を形成しうる凹部１８が複数箇所に形成されており、この凹部内は、ベースを載置面に固設するための接着剤が注入可能になっていることを特徴とする二重床。
【発明の詳細な説明】
【０００１】
【発明の属する技術分野】
本発明は、建築物の床面上に、電話線やコンピュータのケーブル類等を配線、収納する空間が形成された二重床に関する。
【０００２】
【従来の技術】
従来、オフィス内の床下配線を実現するために、建築物の床面上に電話線やコンピュータのケーブル類等を収納、配線する空間が形成された二重床が多く採用されている。
【０００３】
このような二重床の施工方法としては、例えば実開昭６３−５４７２６号公報や、特開平６−２１２７７６号公報等に示されるように、まず複数の支持体が連接された方形のベースを建築物の床面上に敷き並べ、これらのベースの支持体上にパネルを敷設した後、該パネル上にカーペット等の化粧床材等を敷設する方法等が知られている。
【０００４】
これらベースを用いて形成される二重床においては、施工時、または使用時において床面にズレが生じないように、施工時に床面に接着剤を塗工し、この上にベースを載置して固定する方法が採用されている。
【０００５】
これらのベースには接着面からベース上面に貫通する複数の孔部が形成されており、ベースの床面への押し込みの際に余剰の接着剤がこの孔部からベース上面に導かれ、この孔部に導かれた接着剤によりベースがアンカー効果を伴って床面に確実に固定されるようになっていた。
【０００６】
【発明が解決しようとする課題】
しかしながら、このようにベースの上面に導かれて硬化された接着剤に配線されたケーブル等が引っかかったりして邪魔になることがあるばかりか、ケーブル等を傷つける恐れがあった。また、接着剤が硬化するまでの間、ベース上面に配線することが出来ず、施工時間が長くなるといった問題点があった。
【０００７】
本発明は、このような問題点に着目してなされたもので、ベースから接着剤がはみ出すことがないように載置床面に接着することが可能なベースを利用する二重床を提供することを目的とする。
【０００８】
【課題を解決するための手段】
上記課題を解決するために、本発明の二重床は、ほぼ一定高さの複数の支持体を連接してベースを構成するとともに、該ベース上に床面を構成するパネルを載置して、前記ベースと前記パネルとの間を配線用空間とした二重床において、
前記パネルは方形に形成されており、前記ベースは、合成樹脂により方形に形成されるとともに、該ベースの中心に立設された支持体５Ａと、ベースの四隅に立設された支持体５Ｄと、該四隅に立設された支持体５Ｄ、５Ｄ間におけるベースの側辺部に立設された支持体５Ｆと、を有し、これら支持体５Ａ、５Ｄ、５Ｆにより４枚のパネルそれぞれの少なくとも四隅が支持されるようになっており、前記複数の支持体５Ａ、５Ｄ、５Ｆの基部６同士は、連結リブ７を介してそれぞれ連結され、前記支持体５Ａ、５Ｄ、５Ｆの基部６及び前記連結リブ７は、載置床面の不陸に対応して接地される程度の可撓性を有し、前記支持体５Ａ、５Ｄ、５Ｆの基部６もしくは連結リブ７の裏面には、ベースを載置床面に設置した時に該載置床面との間に空所を形成しうる凹部１８が複数箇所に形成されており、この凹部内は、ベースを載置面に固設するための接着剤が注入可能になっていることを特徴としている。
この特徴によれば、ベースが載置床面に載置されると、凹部内の接着剤は、凹部と載置床面とにより形成される空所内に閉じこめられ、その空所内のみにて広がろうとするため、接着剤がベースからはみ出すことがない。よってはみ出した接着剤の硬化を待つことなく配線できるとともに、はみ出した状態で硬化された接着剤が配線の邪魔になることがない。さらに空所内以外に接着層が形成されないため、ベースの基準高さを確実に床面として配設できる。
【００１１】
【発明の実施の形態】
以下、本発明の実施例を図面に基づいて説明すると、まず図１には本発明の実施例としての二重床の要部が示されており、この二重床は、コンクリート製の建築床Ｆ上に敷設され、建築床Ｆ上に電話線やコンピュータ等のケーブル類等の物品の収納空間Ｓを形成するベース１と、このベース１により建築床Ｆの上方に支持されて床面を形成するパネル２とから構成されている。３はパネル２上に敷設されるカーペット、４は収納空間Ｓ内に配設されたケーブルをそれぞれ示している。
【００１２】
ベース１は合成樹脂製であり、図１〜３に示されるように、所定高さを有し、適宜間隔おきに立設される複数の支持体５Ａ〜５Ｅと、これら支持体５Ａ〜５Ｅの基部６同士を連結する連結リブ７とから、平面視略正方形状に形成されている。
【００１３】
支持体５Ａはベース１の中心に立設された１／４分割円柱型支持体５ａ〜５ｄとから構成されており、互いの１／４分割円柱型支持体５ａ〜５ｄ間には、支持体の上端から基部６の上面まで延びる溝部８が十字状に形成されている。さらにこれら１／４分割円柱型支持体５ａ〜５ｄの中心側が切り欠かれ、その中心には横断面円形の凹部９が形成されているとともに、基部６の中心位置には円形の穴部１０が形成され、ベース１の上方より建築床Ｆの上面が穴部１０内に露呈されるようになっている。また、１／４分割円柱型支持体５ａ、５ｂ間、及び１／４分割円柱型支持体５ｃ、５ｄ間には後述するリブ１１が形成されている。
【００１４】
支持体５Ａの周囲には、円柱型の支持体５Ｂ及び支持体５Ｃとが立設されており、特に支持体５Ｃの上部には、支持体５Ａに十字状に設けられた溝部８の長手方向の延長線に沿うように凹溝１２が設けられている。ベース１の四隅には略１／４分割円柱型の支持体５Ｄが、さらにベース１の側辺部における支持体５Ｄ、５Ｄ間には略１／２分割円柱型の支持体５Ｅ、及び１／４分割円柱型支持体５ｆ、５ｇとから構成される支持体５Ｆとがそれぞれ立設されている。また、これら１／４分割円柱型支持体５ｆ、５ｇ間には、溝部８の長手方向の延長線に沿うように溝部１３が形成されているとともに、リブ１１と同形状のリブ１４が形成されている。なお、図２中ベース１の下辺、右側辺の支持体５Ｅ、５Ｆは上辺、左側辺の支持体５Ｅ、５Ｆと同一のため、符号の記載は省略する。
【００１５】
これら支持体５Ａ〜５Ｆは上方から荷重が加わってもほとんど変形しない剛性を有しているとともに、基部６及び連結リブ７は、各支持体５Ａ〜５Ｅが建築床Ｆの不陸に対応して床面に接地される程度の可撓性を有している。
【００１６】
このベース１は一辺が約５０ｃｍ程度の大きさに形成されており、これら複数のベース１を建築床Ｆ上に敷設する場合、それぞれの側辺部にそれぞれ形成された係合凹部１５及び係合凸部１６を、隣接する他のベース１の係合凹部１５及び係合凸部１６に係合することで互いに連設出来るようになっている。
【００１７】
図２において斜線で示される箇所は、ベース１を建築床面Ｆに固設するための接着部１７である。この接着部１７は、特に図４に示されるように上方にわずかに起伏形成（高さ約２〜３ｍｍ程度）されており、基部６もしくは連結リブ７の裏面に適宜接着剤を収容可能な凹部１８が形成されている。よってベース１を固設する際にこのような凹部１８内に後述のように接着剤を塗布しておくことで、ベース１と建築床Ｆとの間に接着層が形成されてもベース１の高さが変化することがないばかりか、接着剤が基部６及び連結リブ７の側方にはみ出して、支持体５Ａ〜５Ｆ間に配設されるケーブル４等へ付着すること等を防止出来る。
【００１８】
このように構成されたベース１を建築床Ｆ上に敷設することで、スチール製のパネル２を図３中２点鎖線で示されるように建築床Ｆの上方に支持することが出来、これらパネル２と建築床Ｆとの間にケーブル４等の収納空間Ｓが形成される。これら支持体５Ａ〜５Ｆの高さはそれぞれ約５０ｍｍ程度であるため、高さ約５０ｍｍ弱の高さの収納空間Ｓが構成されることになるが、予め種々の高さに設定された支持体５を有するベース１を用意しておくことで、現場に応じた大きさの収納空間Ｓを形成することが出来る。
【００１９】
本実施例におけるパネルは２は、図３に示すようにそれぞれの側辺部より下方に屈曲形成された垂板２ａが溝部８、１３及び凹溝１２内に嵌合されるとともに、ベース１同士が連設されたときに互いに対向する支持体５Ｄ、５Ｅ、５Ｆの外側間に形成される溝部（図示略）に嵌合され、１つのベース１上に４枚のパネル２が敷設することが出来る。そしてパネル２の下面２ｂ所定箇所がそれぞれの支持体５Ａ〜５Ｆの上面に当接して支持されるようになっている。
【００２０】
なお、このパネル２の一対角線上には複数のスリット孔１９（図１参照）が形成されており、このスリット孔１９を中心にパネル２が屈曲されるように形成されているため、いずれかの支持体５Ａ〜５Ｆが不陸な建築床Ｆに対応して他の支持体５Ａ〜５Ｆの上端よりも高く、もしくは低くなった場合においても、屈曲することでパネル２のがたつきを吸収出来るようになっている。さらに、図１に示されるように垂板２ａの所定箇所には切欠部２０が形成されており、パネル２同士が連設された場合に互いに対向する切欠部２０によりケーブル４等の挿通用の穴部が形成されるので、ケーブル４等をパネル２、２間から容易に引き出すことが出来る。
【００２１】
また、支持体５Ａ〜５Ｆは、図３に示されるようにそれぞれ内部が中空状に形成されているとともに、上部内径Ｌ１が下部内径Ｌ２よりも小さくなるように、すなわち上方に行くに従い外形寸法が小さくなるテーパ状に形成されているため、ベース１を上下に積み重ねる場合、下方のベース１の支持体５Ａ〜５Ｆの上部が上方のベース１の支持体５Ａ〜５Ｆの下部開口内に嵌合されるようになっている（図示略）。よって複数のベース１を上下方向にコンパクトに積み重ねても嵩張ることがないので、効率よく運搬及び保管することが可能である。
【００２２】
また、積み重ねの際に下方の支持体５Ａ〜５Ｆのリブ１１、１４の上端に、上方のリブ１１、１４の下端に位置する基部６の下面が当接され、下方の支持体５Ａ〜５Ｆの上部の上方の支持体５Ａ〜５Ｆの下部開口内への進入深さが規制されるので、上方と下方の支持体５Ａ〜５Ｆ同士がきつく嵌合されて隔離しにくくなるといったことがない。なお、このようにリブ１１、１４が溝部８、１３、もしくは凹溝１２内に形成されていることにより、リブ１１、１４が配線の邪魔になることがない。
【００２３】
次に接着部１７が複数形成されたベース１の建築床Ｆへの固設方法を図５（ａ）〜（ｃ）に基づいて説明していくと、まず図５（ａ）に示されるようにベース１の支持体５Ａ〜５Ｆを下方にして裏返し、図２の斜線で示されるそれぞれの接着部１７の凹部１８内に、接着剤ｇを凹部１８内の中央部を中心に、ベース１の下面１ａよりも若干高くなるように盛り付ける。この時の接着剤ｇの量は凹部１８の容積を大きく超えることがないように若干少な目に、かつ横方向へ広がらないように下面１ａより高く盛り付けることが好ましい。
【００２４】
次に図５（ｂ）に示されるようにベース１を図５（ａ）の状態から再度裏返し、建築床Ｆ上面にベース１を載置する。ベース１が載置されると、図５（ｃ）に示されるように、凹部１８内中央部に高く盛り付けられた接着剤ｇは、建築床Ｆ上面に押し付けられることで凹部１８内で左右方向に広がる。この時凹部１８と建築床Ｆとにより形成される空間が接着剤ｇの横方向への広がりを吸収するため、接着剤ｇがベース１からはみ出ることがない。
【００２５】
そして接着剤ｇが硬化する前にベース１を係合凸部１６及び係合凸部１７とを介して他のベース１と連結させながら、位置、向き等を微調整していく。ここで、ベース１を敷設後に建築床Ｆに押圧しなくても、凹部１８内左右方向広範囲にわたって厚い接着層が形成されているので、ベース１の建築床Ｆへの接着力が高まるとともに、この接着層の厚みが作用してベース１の特に各支持体５Ａ〜５Ｆの高さに違いが生じることがない。
【００２６】
最後に接着剤ｇが硬化してベース１が固設された後、各支持体５Ａ〜５Ｆ上にパネル２を敷設し、さらにこのパネル２の上にカーペット３等の化粧床材を敷き並べることで二重床が完成する。
【００２７】
このようにベース１を接着部１７の凹部１８内に盛り付けた接着剤ｇにより建築床Ｆに固設することで、ベース１からはみ出して硬化された接着剤ｇが配線の邪魔になったり、ケーブル４等を傷つけることがないばかりか、はみ出した接着剤ｇの硬化を待つ必要がないので施工時間が短縮化される。
【００２８】
以上、本発明の実施例を図面により説明してきたが、具体的な構成はこれら実施例に限られるものではなく、本発明の要旨を逸脱しない範囲における変更や追加があっても本発明に含まれる。
【００３０】
【発明の効果】
本発明は以下の効果を奏する。
【００３１】
（ａ）請求項１項の発明によれば、ベースが載置床面に載置されると、凹部内の接着剤は、凹部と載置床面とにより形成される空所内に閉じこめられ、その空所内のみにて広がろうとするため、接着剤がベースからはみ出すことがない。よってはみ出した接着剤の硬化を待つことなく配線できるとともに、はみ出した状態で硬化された接着剤が配線の邪魔になることがない。さらに空所内以外に接着層が形成されないため、ベースの基準高さを確実に床面として配設できる。
【００３４】
【図面の簡単な説明】
【図１】本発明の適用された二重床の構造を示す一部破断斜視図である。
【図２】ベースの平面図である。
【図３】図２のＩ−Ｉ断面図である。
【図４】図２のＩＩ−ＩＩ断面図である。
【図５】（ａ）〜（ｃ）は、ベースの建築床への固設時における作用を示す概略図である。
【符号の説明】
１            ベース
１ａ          下面
２            パネル
２ａ          垂板
２ｂ          下面
３            カーペット
４            ケーブル
５Ａ〜５Ｆ    支持体
５ａ〜５ｄ    １／４分割円柱型支持体
５ｅ、５ｆ    １／２分割円柱型支持体
６            基部
７            連結リブ
８、１３      溝部
９            凹部
１０            穴部
１１、１４      リブ
１２            凹溝
１５            係合凹部
１６            係合凸部
１７            接着部
１８            凹部
１９            スリット孔
２０            切欠部
Ｆ              建築床（載置床面）
Ｓ              収納空間
ｇ              接着剤
【図１】
0003626601.tif 000002
【図２】
0003626601.tif 000003
【図３】
0003626601.tif 000004
【図４】
0003626601.tif 000005
【図５】
0003626601.tif 000006